(57)【特許請求の範囲】
【請求項１】
歯科切削治療練習用の圧縮成型歯牙であって、
１〜１００μｍの糖類、多糖類、粉乳、及び／又は糖タンパク質粉末を含む組成から構成され、
圧縮成型することを特徴とする圧縮成型歯牙。
【請求項２】
請求項1記載の圧縮成型歯牙であって、
糖類、多糖類、粉乳、及び／又は糖タンパク質が１０％以上含むことを特徴とする圧縮成型歯牙。
【請求項３】
請求項1又は２記載のいずれかの圧縮成型歯牙であって、
圧縮成型を複数回に分けて成型することを特徴とする圧縮成型歯牙。
【請求項４】
請求項1〜３記載のいずれかの圧縮成型歯牙であって、
エナメル歯牙側から成型し、デンチン歯牙側を後で成型することを特徴とする圧縮成型歯牙。
【請求項５】
請求項1〜４記載のいずれかの圧縮成型歯牙であって、
圧縮成型歯牙の内に、第３層を有することを特徴とする圧縮成型歯牙。
【請求項６】
請求項５記載の圧縮成型歯牙であって、
第3層が齲蝕部分、歯髄部分、切削目標部分であることを特徴とする圧縮成型歯牙。
【請求項７】
請求項１〜６記載のいずれかの圧縮成型歯牙の製造方法のであって、
歯冠側を凹形態型、歯根側を凸形態型を用いて成型することを特徴とする圧縮成型歯牙の製造方法。
【請求項８】
請求項７記載の圧縮成型歯牙の製造方法であって、
第1凸形態型で咬合面方向のエナメル歯牙を成型し、続いて第２凸形態型でデンチン歯牙を成型することを特徴とする圧縮成型歯牙の製造方法。
【請求項９】
請求項８記載の圧縮成型歯牙の製造方法であって、
第1凸形態型での成型圧は２０〜１００ＭＰ、第２凸形態型での成型圧は５〜８５ＭＰで成型し、少なくとも第1凸形態型の成型圧に比べて、第２凸形態型の成型圧は１５ＭＰ以上低い成型圧で成型することを特徴とする圧縮成型歯牙の製造方法。
【発明の詳細な説明】
【技術分野】
【０００１】
支台歯成型や窩洞形成などを歯科学生が練習する為の顎歯模型用の歯牙に関する。
【背景技術】
【０００２】
従来、顎歯模型用の歯牙はエポキシ樹脂やメラミン樹脂で作製されていたが、エポキシ樹脂はビスフェノールＡを用いることや、メラミン樹脂はホルムアルデヒドを用いることから環境に配慮した材料が求められてきた。
特許文献１には、ヒドロキシアパタイト粉末と（メタ）アクリル酸エステル系樹脂を用いた歯牙材料が紹介されているが、切削感に問題がある他、切削練習後の歯牙の廃棄も容易ではなかった。
特許文献２には、アルミナで作製された歯牙が紹介されているものの切削感に問題がある他、切削練習後の歯牙の廃棄も容易ではなかった。
【先行技術文献】
【特許文献】
【０００３】
【特許文献１】特開平05-216395
【特許文献２】特開2007-310373
【発明の概要】
【発明が解決しようとする課題】
【０００４】
本発明は支台歯成型や窩洞形成などを歯科学生が練習する為の顎歯模型用の歯牙であって、切削練習に使用した後に、容易に廃棄することができる歯牙を提供する。また、天然歯牙と同等の切削感をえることができる。
成形方法に関しても、樹脂を重合することも、材料を焼成させることもなく、容易に成型することができる。
歯牙の切削くずを学生が吸引することや飛散することもあることから、安全な材質の歯牙が求められていた。
また、天然歯牙の露髄した場合の体験などもできる歯牙が求められていた。
【課題を解決するための手段】
【０００５】
歯科切削治療練習用の圧縮成型歯牙であって、糖類、多糖類、粉乳、及び／又は糖タンパク質の１〜１００μｍの粉末を含む組成から構成され、圧縮成型することで得られる。
糖類、多糖類、粉乳、及び／又は糖タンパク質が１０〜１００％含む。好ましくは７０〜１００％である。
圧縮成型は、均一に成型する為に、複数回に分けて成型する。一度に圧縮成型歯牙を成型すると、歯牙内に圧縮斑が請じ、成型不良が発生することがある。
圧縮成型をする手順として、エナメル歯牙側から成型し、デンチン歯牙側を後で成型するとよい。デンチン歯牙側に比べ、エナメル歯牙側は歯冠の形状を正確に成型する必要があり、最初に歯冠形態を成型した後に徐々にデンチン側を成型することで歯冠形状を正確に成型することができる。また、成型圧を上げることで耐切削性が向上することができ、成型圧を下げることで軟質とすることができることから、エナメル歯牙側は成型圧を上げ、徐々にデンチン歯牙側に移るに従い成型圧を下げることで徐々に切削性の異なる歯牙を作製することができる。
しかし、成型において、エナメル歯牙とデンチン歯牙では大きく切削性が変わるため、エナメルデンチンジャンクションで大きく成型圧を変えることが好ましい。
【０００６】
圧縮成型歯牙の内に、第3層を有することが好ましい。具体的な第3層は齲蝕部分、歯髄部分、切削目標部分である。齲蝕部分は咬合面上もしくは咬合面の内側に、擬似齲蝕部分を設けるものである。歯髄部分は歯牙の中央部付近に擬似歯髄を擬似齲蝕部分を設けるものである。切削目標部分は支台歯や窩洞の形状に設けるものである。
第3層は樹脂やシリコンなどの第三成分で作製することもでき、糖類や多糖類の粉末を圧縮して成型してもよく、更に予備圧縮成型をすることも好ましい。
【０００７】
次に圧縮成型歯牙の製造方法について紹介する。
前記圧縮成型歯牙を製造する方法のであって、歯冠側を凹形態型、歯根側を凸形態型を用いて成型することができる。また、歯冠部分を正確に成型するためには凹形態とすることが好ましい。
次に、第1凸形態型で咬合面方向のエナメル歯牙を成型し、続いて第２凸形態型でデンチン歯牙を成型することことができる。また、第1凸形態型で成型する前に何度か成型してしてもよい。同様に第２凸形態型で成型する前に何度か成型してしてもよい。何度も成型することで圧縮斑がなくなり、耐切削性の斑も少なくなる。
第1凸形態型での成型圧は２０〜１００ＭＰ、第２凸形態型での成型圧は５〜８５ＭＰで成型し、少なくとも第1凸形態型の成型圧に比べて、第２凸形態型の成型圧は１５ＭＰ以上低い成型圧で成型することが好ましい。第1凸形態型はエナメル歯牙を成型するため、第２凸形態型で成型するデンチン歯牙より耐切削性を向上させることが好ましい。場合によっては徐々に成型圧を変化させることや徐々に成型量を増やすことで切削性をかえることができる。
【発明の効果】
【０００８】
歯科大学の学生は支台歯成形や窩洞成形の練習のために、顎歯模型用の歯牙を用いる。数回の練習で取得できるものではなく、多くの歯牙を消費している。今まで歯牙は主に樹脂製を用いてきたことから廃棄処分は焼却などが主な方法で環境に問題があった。本発明は糖類、多糖類、タンパク質及び又は糖タンパク質を用いることから、飼料へ用いることや微生物分解も可能であり環境に配慮することができる。
また、歯牙の成形方法を圧縮成型することで製造においても、エネルギーの消費が少なく、簡単な設備で容易に製造することができる。更に、歯牙の中で切削感を変えるこができ、今まで以上に天然歯に近いことから、治療に近い練習をすることができる。
歯科大学の学生は切削作業をする為、粉塵が飛散し吸引することも少なくなく、より安全な材料で歯牙を作製することが求められていた。本発明は糖類や多糖類で歯牙を作製し、より安全な歯牙を供給することができる。
【０００９】
また、歯科治療の支台歯成形や窩洞成形においては形成時に露髄を起さないように成形しなければならないが、今までの顎歯模型用の歯牙では体験できなかった。本発明は髄の部分を歯牙の中に形成することができる為、露髄したことを知らせることができる。
また、髄のみでなく、齲蝕も成形することができ、より現実に合わせた歯科治療の体験を顎歯模型用の歯牙で体験することができる。
更に、支台歯成形や窩洞成形の切削はどの程度するのか、練習のはじめでは分からない。本発明ではどの程度切削すれば良いのかの、目標となる部分に層状に目印をつけることができ、切削を確認しながら練習することができる。
【００１０】
外側が硬質で内側が軟質となる人工歯牙が必要な場合は、「人工歯牙の作製方法１-１」の様に一回の成型で人工歯牙を作製することで得ることができる。成型型の近くは硬質となる。また、内部まで均一な切削感の人工歯牙が必要な場合は、「人工歯牙の作製方法１-２」の様に１〜２ｍｍの間で順次積層することで実現できる。
【発明を実施するための形態】
【００１１】
糖類、多糖類、タンパク質及び又は糖タンパク質は以下の通りである。
単糖類としては、トリオース「ケトトリオース（ジヒドロキシアセトン）、アルドトリオース（グリセルアルデヒド）」、テトロース「ケトテトロース（エリトルロース）、アルドテトロース（エリトロース、トレオース）」、ペントース「ケトペントース（リブロース、キシルロース）、アルドペントース（リボース、アラビノース、キシロース、リキソース）、デオキシ糖（デオキシリボース） 」、ヘキソース「 ケトヘキソース（プシコース、フルクトース、ソルボース、タガトース）、アルドヘキソース（アロース、アルトロース、グルコース、マンノース、グロース、イドース、ガラクトース、タロース）、デオキシ糖（フコース、フクロース、ラムノース）、ヘプトース「 セドヘプツロース 」がある。
【００１２】
多糖類としては、二糖類「スクロース、ラクトース、マルトース 、トレハロース、ツラノース、セロビオース 」、三糖類「 ラフィノース、メレジトース、マルトトリオース 」、四糖類「アカルボース、スタキオース 」、その他のオリゴ糖「フラクトオリゴ糖（FOS）、ガラクトオリゴ糖（GOS）、マンナンオリゴ糖（MOS）」、多糖類「グルコース：グリコーゲン、デンプン（アミロース、アミロペクチン）、セルロース、デキストリン、グルカン（β1,3-グルカン）、フルクトース：フルクタン（イヌリン、レバンβ2→6）、N-アセチルグルコサミン：キチン質 」、オリゴ糖（少糖）「フルクトオリゴ糖、ガラクトオリゴ糖、乳果オリゴ糖」 デオキシ糖「デオキシリボース、フコース、ラムノース」 ウロン酸「グルクロン酸、ガラクツロン酸」 アミノ糖「グルコサミン、ガラクトサミン」 糖アルコール「グリセリン、キシリトール、ソルビトール」 ラクトン「アスコルビン酸(ビタミンC)、グルクロノラクトン、グルコノラクトン」 多糖「デンプン、アミロース、アミロペクチン、グリコーゲン、セルロース、ペクチン、グルコマンナン、」などがある。
【００１３】
タンパク質としては20種類存在するL-アミノ酸が鎖状に多数連結（重合）してできた高分子化合物であれば利用でき、具体的には粉乳などが用いられる。
糖タンパク質としてはタンパク質を構成するアミノ酸の一部に糖鎖が結合したものであれば利用でき、具体的にはグルコース、ガラクトース、マンノース、フコース、N-アセチルグルコサミン、N-アセチルガラクトサミン、N-アセチルノイラミン酸、キシロースである。
【００１４】
好ましい糖類、多糖類、タンパク質及び又は糖タンパク質は糖アルコール、多糖、タンパク質であり、具体的糖アルコールは、エリトリトール、グリセリン、HSH、イソマルト、ラクチトール、マルチトール、マンニトール 、ソルビトール 、キシリトール、スクロースであり、具体的多糖はデンプン（アミロース、アミロペクチン）、グリコーゲン、セルロース、キチン、アガロース、カラギーナン、ヘパリン、ヒアルロン酸、ペクチン、キシログルカンであり、具体的ンパク質は粉乳である。これらの中で更に好ましいものとして、糖アルコールは、マルチトール、ソルビトール 、キシリトールであり、多糖はデンプン（アミロース、アミロペクチン）、グリコーゲン、セルロース、タンパク質は粉乳である。
【００１５】
糖類、多糖類、タンパク質及び又は糖タンパク質の配合量は、１０％以上配合することが好ましい。より好ましくは、７０％以上、更に好ましくは９８％以上である。着色材などを除くほぼ１００％であることが最も好ましい。
糖類、多糖類、タンパク質及び又は糖タンパク質は平均粒子径が１〜１００μｍの粉末であり、１０〜７０μｍであることが好ましい。
糖類、多糖類、タンパク質及び又は糖タンパク質以外の配合物は無機材料及び又は有機材料の粉末を用いることができる。この場合は糖類、多糖類、タンパク質及び又は糖タンパク質はバインダの役目をし他の粉末を接着させる。
無機材料はガラス粉末やセラミック粉末などに代表される粉末である。有機材料は樹脂粉末である。これら無機材料及び又は有機材料の粉末は平均粒子径が０．１〜３０μｍであり、１〜１５μｍであることが好ましい。
これらの材料に着色材として染料、顔料を加えることでアイボリー色などの歯牙色に着色することが好ましい。
【００１６】
圧縮成型とは、歯牙の粉末材料を圧縮して成型する技術である。具体的には目的とする形態の陰型を型で作製し、一定の粉末材料を充填し、一定の方向から粉末に圧力をかけることで粉末を成型することである。また、一定の圧力をかけた後に更に粉末材料を充填して一定の方向から粉末に圧力をかけることで更に層状に粉末を成型することができる。成型を繰り返すことで、圧縮斑で発生する切削性の斑を軽減できる。複数に分けて圧縮成型せずに、一回の圧縮成型で肉厚の成型体を作製すると圧縮斑が生じることがある。好ましくは２〜５ｍｍの肉厚で成型することが好ましい。このような切削性の斑をなくさないといけない部分は支台歯や窩洞を成形する歯冠部分のみでよく、歯根部分は切削性の斑があっても問題ないことから1回成型することができる。
圧縮成型をする手順としてエナメル歯牙側から成型し、デンチン歯牙側を後で成型することが好ましい。エナメル歯牙側の歯冠形態を成型し、その後、デンチンや歯根側に向って成型を進めることが好ましい。
【００１７】
次に、圧縮成型歯牙の内の第３層について説明をする。
第３層は齲蝕部分、歯髄部分、切削目標部分であり、それぞれ同様な方法で第３層とすることができる。
第１の第３層作製方法としては、圧縮成型歯牙の組成であるが、着色材を用いて着色を行った第３層材料を作製し、圧縮成型歯牙を成型する折に内部に包含する方法である。着色は染料、顔料、蛍光材などで実施することができる。
第２の第３層作製方法としては、第１の第３層作製方法で作製した第３層材料をプレ成型し、第３層プレ成型部材を作成し、第３層プレ成型部材を圧縮成型歯牙を成型途中に内部に包含する方法である。
第３の第３層作製方法としては、第３層の部分を樹脂で前もって第３層樹脂部材を作製し、第３層樹脂部材を圧縮成型歯牙を成型途中に内部に包含する方法である。樹脂はシリコン樹脂や有機高分子などから作製することができる。
齲蝕部分、切削目標部分としての好ましい方法は第１と第２の第３層作製方法である。組成などを代える事で切削性を変化させることもでき、より天然歯牙の切削性に近くなる。
歯髄部分としての好ましい方法は第３の第３層作製方法である。樹脂で髄を作製することで露髄の感覚が天然歯牙の切削性に近くなる。
【実施例】
【００１８】
次に、具体的に圧縮成型歯牙の作製方法を説明する。
（組成の調合）
実施例で用いた各成分等は以下の通りである。
キシリトール：NICHIGA製  粉末    １００μm
マルチトール：NICHIGA製  粉末    ７０μm
デンプン：日清製粉製、小麦粉（薄力粉）    １０μm
粉乳：明治乳業製  脱脂粉乳    ３０μm
シリカ粉末（5μｍ）：株式会社トクヤマ製、シリカパウダー、
カーボンブラック：三菱化学製、高級カラー（ＨＣＦ） ＃２６５０
赤色顔料（弁柄）：森下弁柄工業株式会社製、（１０μｍ）
蛍光材：蛍光顔料（LUMILUX C-Pigmentsは紫外線(UV)励起型有機/無機系蛍光顔料）
歯髄組成の樹脂：松風社製  カラートーニングワックス  赤色（前もって歯髄形状に成形した。）
歯髄組成のシリコン：松風社製  ラボシリコーン  弁柄で赤色に着色（前もって歯髄形状に成形した。）
前記成分を表１に示す組成比で混合して各組成原料を得た。
【００１９】
次に、表１の各組成原料を用いて、表２に示す人工歯牙を作製した。作製方法は以下に示す。
【００２０】
（人工歯牙の作製方法１-１）
図１に示す人工歯牙の作製方法について説明する。図１は人工歯牙の中でエナメル歯牙４とデンチン歯牙５、歯根歯牙８を同時に同一組成原料で成型した人工歯牙の図面である。
図１の人工歯牙は図２に示される型にて作製される。
図２の型の作製方法および人工歯牙の作製方法を以下に説明する。
A)   人工歯牙の唇面を下にした最大豊隆部で分割される割型である凹形態型の底面型１を作製する。凹形態型の底面型１には人工歯牙を取り外す為の押出構造を設けることが好ましい。
B)   次に、組成原料を入れる鞘であり、且つ押し型の受として凹形態型の側面型２をセットする。凹形態型の側面型２は凹形態型の底面型１の最大豊隆部に沿って構成され、１から１０度のテーパーを設け、押し型を容易に挿入できるように作製することが好ましい。
C)   次に、凸形態型３を凹形態型の側面型２に沿って作製し、凹形態型の底面型１と合ったときに人工歯牙の空間を形成する様に作製する。
D)   前記、凹形態型の底面型１に凹形態型の側面型２をセットし、凹部に一定量の組成原料を投入し、凸形態型３を組成原料を挟む様に凹部に挿入する。圧縮機で加圧（成型圧は表２に記載）することで、組成原料を圧縮成型し人工歯牙を得た。
【００２１】
（人工歯牙の作製方法１-２）
また、別の作製方法を以下に説明する。
人工歯牙を1〜２ｍｍ毎に成型する為に「人工歯牙の作製方法１-１」の（Ｃ）において、複数の凸形態型３を作製する。１層ごと組成原料を充填し、複数の凸形態型３を用いて順次圧縮機で加圧（成型圧は表２に記載）することで、人工歯牙を得た。
【００２２】
同様の方法にて、図３に示す方向からも人工歯を成型することができる。ただし、成型方向が変わりことから凹形態型の底面型１、凹形態型の側面型２の形態が変わり、凸形態型３が第４凸形態型３-４となる。図３の（Ａ）は凹形態型の底面型１に凹形態型の側面型２をセットし、凸形態型３を挿入する前の概念図であり、図３の（Ｂ）は、図３の（Ａ）の凸形態型３を挿入した概念図である。
同一組成原料で成型する人工歯牙は図３の成型方向から人工歯を成型する方法に比べ、図２の成型方向から人工歯を成型する方法の方が好ましい。人工歯全体に均一に圧力がかかり、成型性がよい。
前記、「人工歯牙の作製方法１-１」及び「人工歯牙の作製方法１-２」の２通りの方法により、図２及び３の型を用いて、実施例１〜１０に示す組成及び成型条件で人工歯牙それぞれ１０歯ずつ成型し、良好に成型できることを確認した。表２に各組成原料と成型条件を記載した。
【００２３】
（人工歯牙の作製方法２-１）
図４に示す人工歯牙の作製方法について説明する。図４は人工歯牙の中でデンチン歯牙５及び歯根歯牙８を同一の組成原料と成型条件で作製し、エナメル歯牙４を異なる組成原料及び又は異なる成型条件で成型した人工歯牙の図面である。
エナメル歯牙の切削感とデンチン歯牙の切削感を得ることを目的として、特にエナメル歯牙からデンチン歯牙へ移動した場合の切削感の変化を再現するための人工歯牙の作製方法である。
図４の人工歯牙は図５に示される型にて作製される。
【００２４】
図４の型の作製方法および人工歯牙の作製方法を以下に説明する。
A)   人工歯牙の咬合面を下にした最大豊隆部で分割される割型である凹形態型の底面型１を作製する。凹形態型の底面型１には人工歯牙を取り外す為の押出構造を設けることが好ましい。
B)   組成原料を入れる鞘であり、且つ押し型の受として凹形態型の側面型２をセットする。凹形態型の側面型２は凹形態型の底面型１の最大豊隆部に沿って構成され、１から１０度のテーパーを設け、押し型を容易に挿入できるように作製することが好ましい。
C)   エナメル歯牙を成型するための凸形態型３-1を作製する。凸形態型３-1を凹形態型の側面型２に沿って作製し、凹形態型の底面型１及び側面型２と合さったときにエナメル歯牙の空間を形成する様に作製する（図５の（Ｂ））。
D)   デンチン歯牙５及び歯根歯牙８を成型するための凸形態型３-４を作製する。凸形態型３-４を凹形態型の側面型２に沿って作製し、凹形態型の底面型１及び側面型２と合さったときに人工歯牙の空間を形成する様に作製する（図５の（Ｄ））。
E)   前記、凹形態型の底面型１に凹形態型の側面型２をセット（図５の（Ａ））し、凹部にエナメル部分に適した一定量の組成原料を投入し、凸形態型３-１を組成原料を挟む様に凹部に挿入する（図５の（Ａ、Ｂ））。圧縮機で加圧（成型圧は表２に記載）することで、組成原料を圧縮成型しエナメル歯牙を得た。
F)   凹部にデンチン部分及び歯根部分に適した一定量の組成原料を投入し、凸形態型３-４を組成原料を挟む様に凹部に挿入する（図５の（Ｃ、Ｄ））。圧縮機で加圧（成型圧は表２に記載）することで、組成原料を圧縮成型し人工歯牙を得た。
【００２５】
（人工歯牙の作製方法２-２）
また、別の作製方法を以下に説明する。
人工歯牙を1〜２ｍｍ毎に成型する為に「人工歯牙の作製方法２-１」の（Ｃ）（Ｄ）において、複数の凸形態型３を作製する。１層ごと組成原料を充填し、複数の凸形態型３を用いて順次圧縮機で加圧（成型圧は表２に記載）することで、人工歯牙を得た。
【００２６】
前記、「人工歯牙の作製方法２-１」及び「人工歯牙の作製方法２-２」の２通りの方法により、図５の型を用いて、実施例１１〜１９に示す組成及び成型条件で人工歯牙それぞれ１０歯ずつ成型し、良好に成型できることを確認した。表２に各組成原料と成型条件を記載した。
【００２７】
（人工歯牙の作製方法３-１）
図６に示す人工歯牙の作製方法について説明する。図６は人工歯牙の中で５及びを同一の組成原料と成型条件で作製し、エナメル歯牙４、デンチン歯牙、歯根歯牙８、第３層（歯髄）６をそれぞれ同じ若しくは異なる組成原料及び又は異なる成型条件で成型した人工歯牙の図面である。
エナメル歯牙の切削感とデンチン歯牙の切削感を得ることを目的として、更にデンチン歯牙から第３層の歯髄６へ移動した場合の切削感の変化を再現するための人工歯牙の作製方法である。
図６の人工歯牙は図７に示される型にて作製される。
【００２８】
図７の型の作製方法および人工歯牙の作製方法を以下に説明する。
A)   人工歯牙の咬合面を下にした最大豊隆部で分割される割型である凹形態型の底面型１を作製する。凹形態型の底面型１には人工歯牙を取り外す為の押出構造を設けることが好ましい。
B)   組成原料を入れる鞘であり、且つ押し型の受として凹形態型の側面型２をセットする（図７の（Ａ））。凹形態型の側面型２は凹形態型の底面型１の最大豊隆部に沿って構成され、１から１０度のテーパーを設け、押し型を容易に挿入できるように作製することが好ましい。
C)   エナメル歯牙４を成型するための凸形態型３-1を作製する。凸形態型３-1を凹形態型の側面型２に沿って作製し、凹形態型の底面型１及び側面型２と合さったときにエナメル歯牙の空間を形成する様に作製する（図７の（Ｂ））。
D)   デンチン歯牙５を成型するための凸形態型３-２を作製する。凸形態型３-２を凹形態型の側面型２に沿って作製し、凹形態型の底面型１及び側面型２と合さったときにデンチン歯牙の空間を形成する様に作製する（図７の（Ｄ））。
E)   歯髄６を成型するための凸形態型３-３を作製する。凸形態型３-３を凹形態型の側面型２に沿って作製し、凹形態型の底面型１及び側面型２と合さったときに歯髄６の空間を形成する様に作製する（図７の（Ｆ））。
F)   歯根歯牙８を成型するための凸形態型３-４を作製する。凸形態型３-４を凹形態型の側面型２に沿って作製し、凹形態型の底面型１及び側面型２と合さったときに人工歯牙の空間を形成する様に作製する（図７の（Ｈ））。
G)   前記、凹形態型の底面型１に凹形態型の側面型２をセットし（図７の（Ａ））、凹部にエナメル部分に適した一定量の組成原料を投入し、凸形態型３-１を組成原料を挟む様に凹部に挿入する（図７の（Ａ、Ｂ））。圧縮機で加圧（成型圧は表２に記載）することで、組成原料を圧縮成型しエナメル歯牙を得た。
H)   凹部にデンチン部分に適した一定量の組成原料を投入し、凸形態型３-２を組成原料を挟む様に凹部に挿入する（図７の（Ｃ、Ｄ））。圧縮機で加圧（成型圧は表２に記載）することで、組成原料を圧縮成型しデンチン歯牙を得た。
I)   凹部に歯髄部分に適した一定量の組成原料を投入し、凸形態型３-３を組成原料を挟む様に凹部に挿入する（図７の（Ｅ、Ｆ））。圧縮機で加圧（成型圧は表２に記載）することで、組成原料を圧縮成型し歯髄６を得た。
J)   凹部に歯根部分に適した一定量の組成原料を投入し、凸形態型３-４を組成原料を挟む様に凹部に挿入する（図７の（Ｇ、Ｈ））。圧縮機で加圧（成型圧は表２に記載）することで、組成原料を圧縮成型し人工歯牙を得た。
（Ｉ）の工程にて、歯髄部分に適した組成原料を投入しているが、歯髄形態にプレ成型し、歯髄部分に挿入することでも製造することができる。実施例３０ではプレ成型されたアクリル樹脂を実施例３１ではプレ成型されたシリコンを用いた。
【００２９】
（人工歯牙の作製方法３-２）
また、別の作製方法を以下に説明する。
人工歯牙を1〜２ｍｍ毎に成型する為に「人工歯牙の作製方法３-１」の（Ｃ）（Ｄ）（Ｅ）（Ｆ）において、複数の凸形態型３を作製する。１層ごと組成原料を充填し、複数の凸形態型３を用いて順次圧縮機で加圧（成型圧は表２に記載）することで、人工歯牙を得た。
【００３０】
前記、「人工歯牙の作製方法３-１」及び「人工歯牙の作製方法３-２」の２通りの方法により、図７の型を用いて、実施例２０〜３１に示す組成及び成型条件で人工歯牙それぞれ１０歯ずつ成型し、良好に成型できることを確認した。表２に各組成原料と成型条件を記載した。
実施例での歯髄はプレ成型し、歯髄部分に挿入することでも製造した。
【００３１】
（人工歯牙の作製方法４-１）
「人工歯牙の作製方法３-１」と同様に複数の凸形態型を用いて、図８に示される齲蝕を有する人工歯牙を作製することができる。
【００３２】
記、「人工歯牙の作製方法４-１+」の方法により、実施例３２〜４１に示す組成及び成型条件で人工歯牙それぞれ１０歯ずつ成型し、良好に成型できることを確認した。表２に各組成原料と成型条件を記載した。
【００３３】
【表１】
0005859157.tif 000002
【００３４】
【表２】
0005859157.tif 000003
【００３５】
各実施例は以下の通りの効果をえることができた。
A)   エナメル組成、デンチン組成、歯根組成と同一組成を用いることで原料の管理が容易となり好ましい。
B)   原料を同じにして、エナメル部分やデンチン部分の成型圧を変更することで、切削性を変化させることができた。エナメル及びデンチンの切削感を得ることは重要なことである。実施例１〜〜１９で作製した人工歯牙を歯科医師５人に切削確認をしたところ、実施例１１〜１９の人工歯牙が天然歯牙に類似していることを証明した。
C)   組成中にシリカ粉末を用いることで、切削感が軟質となり、デンチン部分と同様な切削感を得ることができた。
D)   歯髄部分が着色されていることから、容易に露髄したことが容易に分かる。
E)   また、歯髄部分に、樹脂やシリコンを用いることで、露髄したことを感じることができる。
【産業上の利用可能性】
【００３６】
本発明は歯科大学の学生が治療行為である窩洞形成や支台歯形成を練習するための顎歯模型用の歯牙であり、産業に利用することができる。
【図面の簡単な説明】
【００３７】
【図１】単層で粉末圧縮成型した歯牙形態の図
【図２】単層で粉末圧縮成型している歯牙と型の製造概念図その１
【図３】単層で粉末圧縮成型している歯牙と型の製造概念図その２
【図４】エナメル歯牙とデンチン歯牙の２層で粉末圧縮成型した歯牙形態の図
【図５】エナメル歯牙とデンチン歯牙の２層で粉末圧縮成型している歯牙と型の製造概念図
【図６】エナメル歯牙、デンチン歯牙と歯髄（第３層）の３層で粉末圧縮成型した歯牙形態の図
【図７】エナメル歯牙、デンチン歯牙と歯髄（第３層）の３層で粉末圧縮成型している歯牙と型の製造概念図
【図８】エナメル歯牙、デンチン歯牙と齲蝕（第３層）の３層で粉末圧縮成型した歯牙形態の図
【符号の説明】
【００３８】
１  凹形態型の底面型
２  凹形態型の側面型
３  凸形態型
３-１  第１凸形態型（エナメル歯牙成型用）
３-２  第２凸形態型（デンチン歯牙成型用）
３-３  第３凸形態型（デンチン歯牙歯髄部成型用）
３-４  第４凸形態型（歯根歯牙成型用）
４  エナメル歯牙
５  デンチン歯牙
６  第３層（歯髄）
７  第３層（齲蝕）
８  歯根歯牙
【要約】      （修正有）【課題】安全な材料から容易に成型でき、天然歯牙と同等の切削感が得られ、容易に廃棄できる練習用顎歯模型の歯牙およびその製造方法を提供する。【解決手段】支台歯成型や窩洞形成などを歯科学生が練習する為の顎歯模型用の歯牙は、１〜１００μｍの糖類、多糖類、タンパク質及び又は糖タンパク質粉末を含む組成から構成され、圧縮成型される。また、圧縮成型歯牙は歯冠側を凹形態型１，２および歯根側を凸形態型３を用いて成型される。【選択図】図２【図１】
0005859157.tif 000004
【図２】
0005859157.tif 000005
【図３】
0005859157.tif 000006
【図４】
0005859157.tif 000007
【図５】
0005859157.tif 000008
【図６】
0005859157.tif 000009
【図７】
0005859157.tif 000010
【図８】
0005859157.tif 000011